(57)【要約】    【課題】  高齢者や身体に不自由を感じる者にとっても、浴槽内の湯水中及び風呂の洗い場の何れにおいても使用し易い軽量の風呂用腰掛けの提供。    【解決手段】  上面板Ｂ１と下面板Ｂ２の間に、周壁部Ｂ３に囲まれた座板中空部Ｂ４を形成して座板部Ｂとする。座板部Ｂの複数箇所に、上下貫通の筒状貫通部Ｂ５を設ける。座板部Ｂの下面板Ｂ２の四隅部に、座板中空部Ｂ４に水及び空気が出入し得る座板開口ＢＨを設ける。水平部ＬＨの両端からそれぞれ下方に突起する支持部ＬＳを有してなる一対の中空状の脚部Ｌを座板部Ｂの下側に固定する。支持部ＬＳの下端部に、キャップ体Ｃを外嵌する。キャップ体Ｃの底部の中央部に、底部を貫通する脚開口ＬＯを設ける。【選択図】      図１
0003135212.tif 000002
【実用新案登録請求の範囲】
【請求項１】
座板部と、その座板部を載置面上に支持する脚部を備えてなる腰掛けであって、
前記座板部は、中空状に形成されると共に、その座板中空部に水及び空気が出入し得る座板開口を有し、
湯水中では、前記座板開口を通じて座板中空部に湯水が充填されることを特徴とする風呂用腰掛け。
【請求項２】
上記座板部が、上面板と下面板を有し、上面板と下面板の間に座板中空部が形成されてなるものであり、
座板開口を座板の上面板と下面板の双方に有し、湯水中に載置した際には下面板の座板開口から座板中空部に湯水が導入されると共に上面板の座板開口から座板中空部の空気が抜け、湯水中から脱した際には下面板の座板開口から座板中空部の湯水が抜けると共に上面板の座板開口から座板中空部内に空気が導入される請求項１記載の風呂用腰掛け。
【請求項３】
上記座板部が、上面板と下面板を有し、上面板と下面板の間に座板中空部が形成されてなるものであり、
前記座板部の複数箇所に、前記上面板と下面板を上下に貫通する筒状貫通部を有し、
前記筒状貫通部は、座板部の強度と剛性を高めると共に、座板部の上面部上の水を、その筒状貫通部を通じて流下させるものである請求項１又は２記載の風呂用腰掛け。
【請求項４】
脚部が中空状に形成されると共に、その脚中空部に水及び空気が出入し得る脚開口を有し、
湯水中では、前記脚開口を通じて脚中空部に湯水が充填される請求項１、２又は３記載の風呂用腰掛け。
【請求項５】
少なくとも脚部の下端に脚開口を有する請求項４記載の風呂用腰掛け。
【考案の詳細な説明】
【技術分野】
【０００１】
本考案は、浴槽内の湯水中及び風呂の洗い場において使用するための風呂用腰掛けに関する。
【背景技術】
【０００２】
浴槽内の湯水中において、所謂半身浴等のために使用する風呂用腰掛けは、浴槽内の湯水中で浮き上がることが防がれるものであることが望まれる。
【０００３】
特開２００１−９５７０７号公報（特許文献１）には、座板部に錘を設けて浴槽内での浮き上がりを防いだ風呂用腰掛けが記載されている。また、特開平８−１９６４５４号公報（特許文献２）には、脚部の下端に吸盤を設け、吸盤により脚部を浴槽の底板に吸着固定させることにより浴槽内での浮き上がりを防いだ風呂用腰掛けが記載されている。
【０００４】
しかしながら、特開２００１−９５７０７号公報記載の風呂用腰掛けは、錘により全体の重量が増大するので、とりわけ高齢者や身体に不自由を感じる者にとって、風呂の洗い場において使用する場合のように浴槽外での取り扱いに難点がある。
【０００５】
一方、特開平８−１９６４５４号公報記載の風呂用腰掛けは、吸盤による底板への吸着及び湯水中での吸着した吸盤の取り外し作業に煩雑な点があり、とりわけ高齢者や身体に不自由を感じる者にとっては、湯水中での作業は避けることが望まれる。
【特許文献１】特開２００１−９５７０７号公報
【特許文献２】特開平８−１９６４５４号公報
【考案の開示】
【考案が解決しようとする課題】
【０００６】
本考案は、従来技術に存した上記のような課題に鑑み行われたものであって、その目的とするところは、高齢者や身体に不自由を感じる者にとっても、浴槽内の湯水中及び風呂の洗い場の何れにおいても使用し易い軽量の風呂用腰掛けを提供することにある。
【課題を解決するための手段】
【０００７】
上記目的を達成する本考案の風呂用腰掛けは、
座板部と、その座板部を載置面上に支持する脚部を備えてなる腰掛けであって、
前記座板部は、中空状に形成されると共に、その座板中空部に水及び空気が出入し得る座板開口を有し、
湯水中では、前記座板開口を通じて座板中空部に湯水が充填されることを特徴とする。
【０００８】
この風呂用腰掛けは、座板部が中空状であるため軽量であり、高齢者や身身体に不自由を感じる者にとっても比較的取り扱い易く、風呂の洗い場における使用にも適する。
【０００９】
また、この風呂用腰掛けを浴槽内の湯水中に載置して使用する場合（例えば半身浴に使用する場合）、座板開口を通じて座板中空部に湯水が充填されるので、座板中空部の浮力により腰掛けが湯水中で浮いて使用し難くなることが防がれる。湯水中から出して洗い場等で使用する場合は、座板中空部の湯水を座板開口から抜いて座板中空部が実質上空の軽量状態で使用することができる。
【００１０】
本考案の風呂用腰掛けは、上記座板部が、上面板と下面板を有し、上面板と下面板の間に座板中空部が形成されてなるものであり、
座板開口を座板の上面板と下面板の双方に有し、湯水中に載置した際には下面板の座板開口から座板中空部に湯水が導入されると共に上面板の座板開口から座板中空部の空気が抜け、湯水中から脱した際には下面板の座板開口から座板中空部の湯水が抜けると共に上面板の座板開口から座板中空部内に空気が導入されるものとすることが望ましい。
【００１１】
この場合、湯水中に載置した際には下面板の座板開口から座板中空部に湯水が導入されると共に上面板の座板開口から座板中空部の空気が抜け、湯水中から脱した際には下面板の座板開口から座板中空部の湯水が抜けると共に上面板の座板開口から座板中空部内に空気が導入されるので、座板中空部に対する湯水の充填及び除去が効率良く行われる。
【００１２】
また本考案の風呂用腰掛けは、上記座板部が、上面板と下面板を有し、上面板と下面板の間に座板中空部が形成されてなるものであり、
前記座板部の複数箇所に、前記上面板と下面板を上下に貫通する筒状貫通部を有し、
前記筒状貫通部は、座板部の強度と剛性を高めると共に、座板部の上面部上の水を、その筒状貫通部を通じて流下させるものであることが望ましい。
【００１３】
この場合、座板部の複数箇所に設けた、上面板と下面板を上下に貫通する筒状貫通部を構成する筒状壁により、座板部の強度と剛性が高められ、洗い場等で使用する場合、座板部の上面部上の水が筒状貫通部を通じて流下させることができる。
【００１４】
また本考案の風呂用腰掛けは、脚部が中空状に形成されると共に、その脚中空部に水及び空気が出入し得る脚開口を有し、
湯水中では、前記脚開口を通じて脚中空部に湯水が充填されるものとすることが好ましい。
【００１５】
この場合、座板部に加えて脚部が中空状であるため、より軽量であり、高齢者や身体に不自由を感じる者にとってもより取り扱い易く、風呂の洗い場における使用にもより適する。
【００１６】
また、浴槽内の湯水中に載置して使用する場合（例えば半身浴に使用する場合）、座板開口を通じて座板中空部に湯水が充填されると共に脚開口を通じて脚中空部に湯水が充填されるので、座板中空部及び脚中空部の浮力により腰掛けが湯水中で浮いて使用し難くなることがより確実に防がれる。湯水中から出して洗い場等で使用する場合は、座板中空部及び脚中空部のを座板開口及び脚開口から抜いて座板中空部及び脚中空部が実質上空の軽量状態で使用することができる。
【００１７】
この風呂用腰掛けは、少なくとも脚部の下端に脚開口を有するものであることが好ましい。
【００１８】
この場合、少なくとも脚部の下端に脚開口を有するので、脚中空部から湯水を十分に抜くことができる。
【考案の効果】
【００１９】
本考案の風呂用腰掛けは、半身浴等のために浴槽内の湯水中に載置して使用する場合、座板開口を通じて座板中空部に湯水が充填されるので、座板中空部の浮力により腰掛けが湯水中で浮いて使用し難くなることが防がれ、湯水中から出して洗い場等で使用する場合は、座板中空部の湯水を座板開口から抜いて座板中空部が実質上空の軽量状態で使用することができるので、高齢者や身身体に不自由を感じる者にとっても、浴槽内の湯水中及び風呂の洗い場の何れにおいても使用し易い。
【考案を実施するための最良の形態】
【００２０】
本考案の実施の形態を、図面を参照しつつ説明する。
【００２１】
図面は何れも本考案の実施の形態の一例としての風呂用腰掛けに関するものであって、図１は正面図、図２は平面図、図３は座板の底面図である。
【００２２】
この風呂用腰掛けＳは、座板部Ｂと、その座板部Ｂを載置面上に支持する脚部Ｌからなる。
【００２３】
座板部Ｂは、上面板Ｂ１と下面板Ｂ２と周壁部Ｂ３を有し、上面板Ｂ１と下面板Ｂ２の間に、周壁部Ｂ３に囲まれた座板中空部Ｂ４が形成されてなるものであり、全体としてほぼ長方形平板状をなす。座板部Ｂには、偏りのない複数箇所に、上面板Ｂ１と下面板Ｂ２を上下に貫通する筒状貫通部Ｂ５を有する。
【００２４】
これらの筒状貫通部Ｂ５は、その筒状壁部ＢＷにより、主として座板部Ｂの厚さ方向において座板部Ｂの強度と剛性を高めることができる。而も、これらの筒状貫通部Ｂ５は、洗い場等で使用する場合に、座板部Ｂの上面板Ｂ１上の水を、その筒状貫通部Ｂ５を通じて流下させることができるものである。この例では、上面板Ｂ１上の外周縁部ＢＥがやや盛り上げられることにより、外周縁部ＢＥにより囲繞された内側部ＢＩがやや低い面に形成されており、この内側部ＢＩに筒状貫通部Ｂ５が設けられることにより、座板部Ｂの上面板Ｂ１上の水が、筒状貫通部Ｂ５を通じて流下し易く構成されている。
【００２５】
座板部Ｂには、その中空部である座板中空部Ｂ４に水及び空気が出入し得る座板開口ＢＨを、下面板Ｂ２の四隅部にそれぞれ有する。
【００２６】
座板部Ｂの下面板Ｂ２には、その両対角線に沿って下方開口の溝状凹部ＢＣが設けられ、両溝状凹部ＢＣが交差する中央部には、下方開口の方形状の中央凹部ＢＳが設けられている。
【００２７】
座板部Ｂは、水平部ＬＨの両端からそれぞれ下方に突起する支持部ＬＳを有してなる一対の脚部Ｌにより載置面上に支持されている。各脚部Ｌは、水平部ＬＨの上部側が座板部Ｂの下面板Ｂ２の各対角線に沿って設けられた溝状凹部ＢＣに嵌合した状態で、その水平部ＬＨにおいて座板部Ｂに螺子により固定されている。両脚部Ｌの水平部ＬＨにおける両端間の中央部は、それぞれ扁平状に形成され、それらの中央部同士が、座板部Ｂの下面板Ｂ２の中央凹部ＢＳにおいて交差している。
【００２８】
各脚部Ｌは、水平部ＬＨの両端からそれぞれ下方に突起する上部支持部ＬＵからなるパイプ状の固定部と、両上部支持部ＬＵに対しそれぞれ下方から外嵌されたパイプ状の下部支持部ＬＬからなる。各上部支持部ＬＵには、その上部支持部ＬＵのうち風呂用腰掛けＳの内方側に、上部支持部ＬＵの側周壁からバネ等により付勢されて弾性的に出没し得る嵌合突起Ｐが設けられ、各下部支持部ＬＬには、その嵌合突起Ｐが嵌合し得る嵌合孔Ｈが軸線方向間隔おきに複数個所に設けられている。各脚部Ｌの内部は脚中空部Ｌ１を構成する。
【００２９】
上部支持部ＬＵの嵌合突起Ｐと下部支持部ＬＬの嵌合孔Ｈが嵌合することにより、上部支持部ＬＵに対し下部支持部ＬＬが固定された状態となる。上部支持部ＬＵの側周壁に嵌合突起Ｐを押し込んだ状態とすれば、上部支持部ＬＵに対し下部支持部ＬＬを摺動し得、嵌合突起Ｐを別の嵌合孔Ｈに嵌合させることにより、支持部ＬＳを段階的に伸縮して風呂用腰掛けＳの高さを変えることができる。
【００３０】
支持部ＬＳの下端部である下部支持部ＬＬの下端部には、略有底円筒形状のゴム状材料製のキャップ体Ｃが外嵌されている。このキャップ体Ｃは、下部支持部ＬＬの下端開口及び下端部外周部を覆うものであり、キャップ体Ｃの底部の中央部には、底部を貫通する脚開口ＬＯを有する。この脚開口ＬＯ並びに下部支持部ＬＬの嵌合孔Ｈ、上部支持部ＬＵと下部支持部ＬＬの間隙、及び水平部ＬＨを座板部Ｂに固定するための螺子孔（図示せず）等を通じて脚中空部Ｌ１に水及び空気が出入し得る。
【００３１】
この風呂用腰掛けＳは、座板部Ｂ及び脚部Ｌが中空状であるため軽量であり、高齢者や身身体に不自由を感じる者にとっても取り扱い易く、風呂の洗い場における使用にも適する。
【００３２】
また、浴槽内の湯水中に載置して使用する場合（例えば半身浴に使用する場合）、座板開口ＢＨを通じて座板中空部Ｂ４に湯水が充填されると共に脚開口ＬＯを通じて脚中空部Ｌ１に湯水が充填されるので、座板中空部Ｂ４及び脚中空部Ｌ１の浮力により腰掛けが湯水中で浮いて使用し難くなることが防がれる。湯水中から出して洗い場等で使用する場合は、座板中空部Ｂ４及び脚中空部Ｌ１内の湯水を座板開口ＢＨ及び脚開口ＬＯから抜いて座板中空部Ｂ４及び脚中空部Ｌ１が実質上空の軽量状態で使用することができる。
【００３３】
なお、座板部Ｂは、平板状に限らず、座板部Ｂとして機能するものであれば湾曲していても差し支えない。また、平面形状は長方形状に限らず、円形、楕円形、各種多角形等でもよい。
【００３４】
座板中空部Ｂ４は、座板部Ｂの全体にわたるものであることが好ましいが、全体の軽量化効果を十分に発揮するものであればこれに限らない。座板部Ｂ及び脚部Ｌに対する湯水の充填は、必ずしも座板部Ｂ及び脚部Ｌ内の全体に充填されることを要するものではない。
【００３５】
座板部Ｂの座板開口ＢＨは、座板部Ｂの上面板Ｂ１と下面板Ｂ２の双方に有し、湯水中に載置した際には下面板Ｂ２の座板開口ＢＨから座板中空部Ｂ４に湯水が導入されると共に上面板Ｂ１の座板開口ＢＨ（２点鎖線）から座板中空部Ｂ４の空気が抜け、湯水中から脱した際には下面板Ｂ２の座板開口ＢＨから座板中空部Ｂ４の湯水が抜けると共に上面板Ｂ１の座板開口ＢＨから座板中空部Ｂ４内に空気が導入されるものとして水及び空気の出入が円滑に行われるようにすることが望ましい。また、座板開口ＢＨを座板の周壁部Ｂ３に設けることもできる。何れの場合も、座板開口ＢＨの配置は、偏りなく複数配置すること等により、座板中空部Ｂ４に対する湯水の充填及び除去が効率良く行われるものとすることが望ましい
【００３６】
脚部Ｌは、例えば支持部ＬＳの下端部のほか、水平部ＬＨおよび／または支持部ＬＳにも水及び空気が出入し得る脚開口ＬＯ（２点鎖線）を設けて水及び空気の出入が円滑に行われるようにすることが望ましい。
【００３７】
なお、以上の実施の形態についての記述における構成部品の寸法、個数、材質、形状、その相対配置などは、特にそれらに限定される旨の記載がない限りは、この考案の範囲をそれらのみに限定する趣旨のものではなく、単なる説明例に過ぎない。
【図面の簡単な説明】
【００３８】
【図１】正面図である。
【図２】平面図である。
【図３】座板の底面図である。
【符号の説明】
【００３９】
Ｂ      座板部
Ｂ１    上面板
Ｂ２    下面板
Ｂ３    周壁部
Ｂ４    座板中空部
Ｂ５    筒状貫通部
ＢＣ    溝状凹部
ＢＥ    外周縁部
ＢＨ    座板開口
ＢＩ    内側部
ＢＳ    方形状凹部
ＢＷ    筒状壁部
Ｃ      キャップ体
Ｈ      嵌合孔
Ｌ      脚部
Ｌ１    脚中空部
ＬＨ    水平部
ＬＬ    下部支持部
ＬＯ    脚開口
ＬＳ    支持部
ＬＵ    上部支持部
Ｐ      嵌合突起
Ｓ      風呂用腰掛け
【図１】
0003135212.tif 000003
【図２】
0003135212.tif 000004
【図３】
0003135212.tif 000005